(57)【特許請求の範囲】
【請求項１】
低湿庫内の湿度に応じた第１の電圧を発生する手段と、この電圧発生手段からの第１の電圧を所定の湿度に対応する電圧と比較して上記第１の電圧が高いとき出力を発生する比較手段と、この比較手段に出力を生じた時刻から出力が消えた時刻迄の時間を計測する手段と、この計測された時間が所定時間より長いとき警報を発する警報手段とより成ることを特徴とする吸湿警報装置付き低湿庫。
【請求項２】
低湿庫内の湿度に応じた第１の電圧を発生する手段と、この電圧発生手段からの電圧を所定の湿度に対応する電圧と比較して上記第１の電圧が高いとき出力を発生する比較手段と、この比較手段に出力を生じた時刻から出力が消えた時刻迄の時間を計測する手段と、この計測値を累積する手段と、上記計測された時間が第１の所定時間より長いとき警報を発する警報手段と、上記累積時間が上記第１の所定時間より長い第２の所定時間より長くなったとき警報を発する警報手段とより成ることを特徴とする吸湿警報装置付き低湿庫。
【発明の詳細な説明】
【０００１】
【発明の属する技術分野】
本発明は吸湿警報装置付き低湿庫、特に、ＩＣパッケージ対応の吸湿警報装置付き低湿庫に関するものである。
【０００２】
【従来の技術】
電子機器に使用するＩＣパッケージを表面実装するときには約２７０℃で４分間熱を加えてハンダ付を行なう。この時ＩＣパッケージが水分を含んでいると加えた熱によりＩＣパッケージ内の水分が瞬時に膨張し内部回路を破壊してしまう。これを防止する為にＩＣパッケージが大気中の水分を吸着しない様アルミ製の防湿袋に新しいシリカゲルと一緒に密封されて工場から出荷されるが、この防湿袋の内部には袋内に含まれる水分を表示する為のインジケーターカードが同封されている。
【０００３】
このインジケータカードは防湿袋の中の湿度が例えば１０％ＲＨ以上になった時、例えば青色からピンク色に変わるもので、通常は密封されている防湿袋の中の湿度は１０％以下に保たれており、インジケーターカードは青色を表示している。
【０００４】
従って、もしインジケーターカードがピンク色に変わっていた時は、防湿袋の中の湿度が高くなっており、収納してあるＩＣパッケージは水分を吸着してしまっていることになるのでこの場合はＩＣパッケージを約１２５℃で２４時間熱して水分を抜いてから実装作業に入る。この様に湿度に敏感なＩＣパッケージは防湿袋から取り出した後の管理基準も細かく規定されている。
【０００５】
例えば、米国の共同電子機器技術委員会による基準ＩＰＣ／ＪＥＤＥＣ  Ｊ−ＳＴＤ−０３３によると防湿袋から取り出したＩＣパッケージは実装するまでの許容時間が製品レベルごとに決められており、短い時間のものから２４時間、４８時間、７２時間、・・・等となっておりこの時間内に実装する様決められている。また、許容時間内に実装出来ないＩＣパッケージは湿度５％ＲＨまたは１０％ＲＨ以下の低湿庫で管理すれば防湿袋内で保存されているものと同一として取り扱うことが認められている。一般にこの様な低湿庫はスチール製であり内部に棚板をセットしこの棚板の上にＩＣパッケージを保管する。この低湿庫の前面には２〜６個のガラス扉が設けられており低湿庫内が見えるようになっている。この扉を随時開閉しＩＣパッケージの取り出しを行うが、扉を開閉すると湿度の高い外気が侵入し低湿庫内の湿度は上昇するが扉を閉めると湿度は下がり始め、一定時間後に５％ＲＨまたは１０％ＲＨ以下になる。
【０００６】
このように扉を開放すると庫内の湿度は上昇するので、扉を閉じてこの上昇した湿度が規定値までに下がる時間をＩＰＣ／ＪＥＤＥＣ  Ｊ−ＳＴＤ−０３３は１時間以内と規定している。この下がるのに要する時間が１時間を越えてしまうと防湿袋と同等の低湿度機能が失われ低湿庫内に保管したＩＣパッケージは規定値以上の水分を吸着してしまうので、この水分を抜いてから実装しないとリフロー時の熱によってＩＣパッケージの内部回路が破壊してしまう。
【０００７】
この様な問題を回避する為には、扉を開けている時間や開閉頻度、扉が完全に閉まっているかの確認、又は夜間及び休日の停電等に十分気をつけなければならない。
【０００８】
一般にこの種の低湿庫には庫内の水分を吸着する為のドライユニットが搭載されている。このドライユニットは吸着剤にゼオライトを使用しこのゼオライトを一定間隔で熱再生し、この再生時の水分を庫内外の切り替えシャッターにより庫外に排出する。一定時間の熱再生終了後庫外シャッターを閉とし庫内シャッターを開として低湿庫内の水分を吸着し、湿度を例えば５％ＲＨ以下に保っている。
【０００９】
この低湿庫の湿度の管理は一般的に静電容量式のセンサーを使用し湿度の変化に伴い静電容量が変化するのでこの変化量を電圧に変えて例えば、ＤＣ１０ｍｖ〜１０００ｍｖの範囲で出力し、１０ｍｖを１％ＲＨとし、１０００ｍｖを１００％ＲＨとして表示している。即ち、出力電圧は、例えば湿度５％ＲＨなら５０ｍｖとなり、湿度計は５％ＲＨを表示する。
【００１０】
【発明が解決しようとする課題】
ＩＣパッケージを低湿度で保管し、管理するに当たっては、例えば湿度計の湿度値を１日に２回チェックして低湿庫内の湿度を管理しているが、この様な１日２回の湿度のチェックでは扉の開閉頻度が多く、湿度が１時間を越えても設定値に下らない様な状態は直ぐにはチェック出来ない。この様な状態を完全にチェックする為には１時間毎に湿度をチェックしなければならず手間がかかる。また、夜間及び休日に停電があった場合には設定湿度値が規定値以上のまま１時間を超えていても、停電のためこれをチェックできず、停電が復帰すればドライユニットに通電され、低湿庫内の湿度は下がるので夜間及び休日に１時間以上湿度オーバーがあったことが判らずＩＣパッケージを低湿庫から取り出しそのまま実装し不良を出してしまう。また、従来の湿度計に附属している警報装置は湿度が設定値を超えたら警報が出て設定値より下がったら警報がストップするので、湿度値が１時間連続して超えていたかどうかは分からない。さらに扉を開けると庫内の湿度が上昇するので１時間以内でも警報が出てしまう恐れがあった。本発明はこのような欠点を除くようにしたものである。
【００１１】
【課題を解決するための手段】
本発明の吸湿警報装置付き低湿庫は、低湿庫内の湿度に応じた第１の電圧を発生する手段と、この電圧発生手段からの第１の電圧を所定の湿度に対応する電圧と比較して上記第１の電圧が高いとき出力を発生する比較手段と、この比較手段に出力を生じた時刻から出力が消えた時刻迄の時間を計測する手段と、この計測された時間が所定時間より長いとき警報を発する警報手段とより成ることを特徴とする。
【００１２】
また、本発明の吸湿警報装置付き低湿庫は、低湿庫内の湿度に応じた第１の電圧を発生する手段と、この電圧発生手段からの電圧を所定の湿度に対応する電圧と比較して上記第１の電圧が高いとき出力を発生する比較手段と、この比較手段に出力を生じた時刻から出力が消えた時刻迄の時間を計測する手段と、この計測値を累積する手段と、上記計測された時間が第１の所定時間より長いとき警報を発する警報手段と、上記累積時間が上記第１の所定時間より長い第２の所定時間より長くなったとき警報を発する警報手段とより成ることを特徴とする。
【００１３】
【発明の実施の形態】
以下図面によって本発明の実施例を説明する。
【００１４】
図１及び図２は本発明の吸湿警報装置付き低湿庫を示し、スチール製で出来ている本体１の前面に扉２が取り付けてあり、この扉２はスチール製で内部が見えるよう透明のガラス窓３を設けている。上記本体１と扉２の密着面はマグネットパッキングによって密閉度を保つようにしている。この低湿庫の本体内部には湿度を下げるためのドライユニット４を搭載している。このドライユニット４の内部には低湿庫内の水分を吸着する為の吸着剤が取り付けてあり、この吸着剤にはゼオライトを使用している。このゼオライトの再生はニクロム線ヒータ５によって約１５０℃に熱して行う。再生時の水分はドライユニット４内の上下に装着してあるシャッター６の切り替えによって庫外に排出する。このシャッター６はゼオライトの再生時、上下シャッター６を庫内閉、庫外開とし、約４５分の再生が終了しゼオライトが約６０℃までに下がるまでの時間約２０分後に上下シャッター６が切り替わって庫外閉、庫内開、となり低湿庫内の水分の吸着を開始する。尚このシャッター６の動力として形状記憶合金コイルとバイアスばねを使用し、制御回路によってゼオライトの再生時間とシャッター６の切り替え時間をコントロールする。このようにしてゼオライトが再生と吸着を繰り返しながら低湿庫内の湿度を５％ＲＨまたは１０％ＲＨ以下に保つ。
【００１５】
この低湿庫内の湿度を管理するために湿度計７を前面のガラス窓３に取り付ける。プリント基板に表面実装する為に防湿袋から取り出したＩＣパッケージ８は一時保管として、低湿庫内の棚板９上にセットする。
【００１６】
本発明においては、低湿庫の前面に図３及び図４に示す警報装置１０を取り付ける。図３及び図４において１１は警報ランプ、１２はこの警報ランプ１０を消灯する警報停止スイッチ、１３は入力コネクター、１４は電源スイッチ、１５は運転ランプ、１６は湿度を設定するための比較電圧発生器の発生電圧を例えば５％ＲＨと１０％ＲＨに対応する値に切り換える切り換え器を示す。
【００１７】
図５は上記警報装置１０の動作説明図、図６はそのフローチャートを示し、１７は比較電圧発生器、１８はコンパレータ、１９はタイマー、２０は電源である。
【００１８】
本発明においては低湿庫の湿度が設定値以上となり、その後一時間例えば６０分を超えても設定値に戻らなかった場合には、警報ランプ１１を点灯し、その後庫内の湿度が下がっても点灯し続けるようにする。
【００１９】
この警報ランプ１１を消灯する時は警報停止スイッチ１２を押してランプ１１を消灯する。
【００２０】
上記警報装置１０においては、湿度計７の出力電圧２１と、所定の湿度に対応する比較電圧発生器１７よりの比較電圧２２とをコンパレータ１８で比較し、コンパレータ１８に出力が生じたとき即ち、上記出力電圧２１が上記比較電圧２２より高いときタイマー１９を始動し、コンパレータ１５の出力がそのまま一定時間、例えば６０分間続いたとき、この時間をタイマー１９で読み取り、上記警報ランプ１１を点灯せしめ、その後この点灯を継続せしめる。
【００２１】
この警報ランプ１１は点滅点灯としても良く、通常は青色や緑色で、異常時のみ赤色に変色するようにしても良く、また、代りにブザーを用いても良い。
【００２２】
また夜間及び休日等に停電があると庫内の湿度は規定値を越えてしまうが、停電が復帰すると規定値以下にもどってしまう為、この間の湿度オーバーが分からない。即ち、上記警報装置１０は停電時も表示しなくてもならないので電源２０としては例えばＤＣ−６Ｖの電池を使用し、またはＡＣ−１００ＶをＤＣ−６Ｖに変換させて作動させる。この場合は停電時に対応出来る様、充電式の電池を組み込む。
【００２３】
尚この低湿庫を管理する湿度計は定期的な校正を行う為に、取り付け、取り外しを行うので、湿度計の出力を伝達するコードは、先端にコネクター１３を取り付け湿度計７と警報装置１０の接続及び切り離しを容易にする。また、この警報装置１０は湿度計に直接取り付けることも出来る。
【００２４】
上記実施例によれば、一定時間、例えば湿度５％ＲＨまたは１０％ＲＨを越えた時間が６０分以上になった場合はＩＣパッケージの実装を阻止できるが、例えば、短時間に数回６０分に達する直前に湿度が所定値以下に低下した場合には、殆んど実装に向かないＩＣパッケージでも警報が出ないのでそのまま使用することになる不都合がある。
【００２５】
従って本発明の他の実施例においては、コンパレータ１８に出力が生じた後上記６０分より以前に出力が生じなくなった場合にその間の時間を計測する他のタイマーと、このタイマーの計測時間を累積する集計手段とを用い、この集計手段によって得られた時間が上記所定時間、例えば６０分より若干長い第２の所定時間に達した場合、同様にして上記警報装置１０を作動せしめるようにする。
【００２６】
このようにすればより正確な管理を行ない得るようになる。
【００２７】
【発明の効果】
上記のように本発明の吸湿警報装置付き低湿庫によれば、ＩＣパッケージを保管した低湿庫が所定湿度以上になり、且つ所定時間維持された場合、または、これに準じた条件のものは異常として警報を発するようにしたので不適当なＩＣパッケージを実装してこれを破壊せしめる等の事故を未然に防止できるようになる大きな利益がある。
【図面の簡単な説明】
【図１】本発明の吸湿警報装置付き低湿庫の正面図である。
【図２】図１に示す吸湿警報装置付き低湿庫の側面図である。
【図３】図１に示す吸湿警報装置の正面図である。
【図４】図１に示す吸湿警報装置の側面図である。
【図５】図１に示す吸湿警報装置の動作説明図である。
【図６】図１に示す吸湿警報装置のフローチャートである。
【符号の説明】
１  本体
２  扉
３  ガラス窓
４  ドライユニット
５  ヒータ
６  シャッター
７  湿度計
８  ＩＣパッケージ
９  棚板
１０  警報装置
１１  警報ランプ
１２  警報停止スイッチ
１３  入力コネクター
１４  電源スイッチ
１５  運転ランプ
１６  切り換え器
１７  比較電圧発生器
１８  コンパレータ
１９  タイマー
２０  電源
２１  出力電圧
２２  比較電圧
【図１】
0003612624.tif 000002
【図２】
0003612624.tif 000003
【図３】
0003612624.tif 000004
【図４】
0003612624.tif 000005
【図５】
0003612624.tif 000006
【図６】
0003612624.tif 000007